【手続補正書】
【提出日】平成23年8月22日(2011.8.22)
【手続補正１】
【補正対象書類名】特許請求の範囲
【補正対象項目名】全文
【補正方法】変更
【補正の内容】
【特許請求の範囲】
【請求項１】
光源手段と、前記光源手段から出射された光束を偏向走査する偏向手段と、前記偏向手段の偏向面にて偏向走査された光束を被走査面に結像させる結像光学系と、を有する光走査装置であって、
前記結像光学系は、前記偏向手段から順に光路中に結像光学素子、第１の反射ミラー、第２の反射ミラーを有しており、
副走査断面内において、前記第２の反射ミラーが前記結像光学系の光軸方向について前記偏向手段と前記結像光学素子の間に設けられ、
かつ、副走査断面内において、前記第２の反射ミラーの副走査方向の位置と前記結像光学素子の副走査方向の位置がオーバーラップしており、
前記結像光学系の光軸に対して斜め方向から前記偏向手段の偏向面に入射してくる光束の主光線と前記結像光学系の光軸との成す副走査方向の角度をα、前記偏向手段の偏向面にて偏向走査された走査光束Ｒａｙ１が軸上像高に向かうときの偏向走査点から前記結像光学素子の被走査面側の光学面までの前記結像光学系の光軸方向の距離をＬ１(mm)、前記偏向走査点から前記第１の反射ミラーでの反射点までの前記結像光学系の光軸方向の距離をＬ２(mm)、前記結像光学素子の副走査方向の長さをｈ(mm)、前記偏向走査点と前記結像光学素子の外形中心との副走査方向の間隔をσ(mm)、前記第１の反射ミラーの反射面で反射された走査光束Ｒａｙ１の主光線と前記偏向手段の回転軸と垂直な平面との副走査方向になす角度をθ(deg)と定義したとき、
前記角度θの値が以下の条件式（１）を満たすことを特徴とする光走査装置。
【数１】
2010049061.tif 000001
【請求項２】
前記偏向手段の同一の偏向面には複数の光束が入射しており、前記複数の光束は各々異なる複数の被走査面に入射しており、前記複数の異なる被走査面に向かう複数の光束は、副走査断面内において、前記結像光学素子のそれぞれ異なる領域を通過しており、前記複数の光束のうちの一つが前記走査光束Ｒａｙ１であり、前記走査光束Ｒａｙ１は、前記結像光学素子の副走査方向の外形中心からずれた位置を通過しており、
副走査断面内において、前記結像光学素子の両端面のうち、前記走査光束Ｒａｙ１の通過位置が近い側の端面を第１の端面、遠い側の端面を第２の端面と定義したとき、
前記第１の反射ミラーは、副走査断面内において前記結像光学素子を通過した走査光束Ｒａｙ１を反射して前記第１の端面側に光路を折り曲げていることを特徴とする請求項１に記載の光走査装置。
【請求項３】
副走査断面内において、前記複数の被走査面のうち、物理的に前記偏向手段に最も近い側の被走査面に導光される光束が前記走査光束Ｒａｙ１であることを特徴とする請求項２に記載の光走査装置。
【請求項４】
副走査断面内において、前記第１の反射ミラーの副走査方向の位置と前記第２の反射ミラーの副走査方向の位置がオーバーラップしていることを特徴とする請求項１乃至３の何れか一項に記載の光走査装置。
【請求項５】
副走査断面内において、前記偏向手段の同一の偏向面にて偏向走査された複数の光束は、前記結像光学素子を通過した後に互いに交差しないことを特徴とする請求項２乃至４の何れか一項に記載の光走査装置。
【請求項６】
前記結像光学素子および前記第１の反射ミラー及び前記第２の反射ミラーは、それらを主走査断面内に投射したとき、互いにオーバーラップしていないことを特徴とする請求項１乃至５の何れか一項に記載の光走査装置。
【請求項７】
請求項１乃至６の何れか一項に記載の光走査装置と、前記被走査面に配置された感光ドラムと、前記光走査装置で走査された光束によって前記感光ドラムの上に形成された静電潜像をトナー像として現像する現像器と、現像されたトナー像を被転写材に転写する転写器と、転写されたトナー像を被転写材に定着させる定着器とを有することを特徴とする画像形成装置。
【手続補正２】
【補正対象書類名】明細書
【補正対象項目名】００２３
【補正方法】変更
【補正の内容】
【００２３】
請求項１の発明の光走査装置は、光源手段と、前記光源手段から出射された光束を偏向走査する偏向手段と、前記偏向手段の偏向面にて偏向走査された光束を被走査面に結像させる結像光学系と、を有する光走査装置であって、
前記結像光学系は、前記偏向手段から順に光路中に結像光学素子、第１の反射ミラー、第２の反射ミラーを有しており、
副走査断面内において、前記第２の反射ミラーが前記結像光学系の光軸方向について前記偏向手段と前記結像光学素子の間に設けられ、
かつ、副走査断面内において、前記第２の反射ミラーの副走査方向の位置と前記結像光学素子の副走査方向の位置がオーバーラップしており、
前記結像光学系の光軸に対して斜め方向から前記偏向手段の偏向面に入射してくる光束の主光線と前記結像光学系の光軸との成す副走査方向の角度をα、前記偏向手段の偏向面にて偏向走査された走査光束Ｒａｙ１が軸上像高に向かうときの偏向走査点から前記結像光学素子の被走査面側の光学面までの前記結像光学系の光軸方向の距離をＬ１(mm)、前記偏向走査点から前記第１の反射ミラーでの反射点までの前記結像光学系の光軸方向の距離をＬ２(mm)、前記結像光学素子の副走査方向の長さをｈ(mm)、前記偏向走査点と前記結像光学素子の外形中心との副走査方向の間隔をσ(mm)、前記第１の反射ミラーの反射面で反射された走査光束Ｒａｙ１の主光線と前記偏向手段の回転軸と垂直な平面との副走査方向になす角度をθ(deg)と定義したとき、
前記角度θの値が以下の条件式（１）を満たすことを特徴としている。
【数１】
2010049061.tif 000002
【手続補正３】
【補正対象書類名】明細書
【補正対象項目名】００２４
【補正方法】変更
【補正の内容】
【００２４】
請求項２の発明は請求項１の発明において、前記偏向手段の同一の偏向面には複数の光束が入射しており、前記複数の光束は各々異なる複数の被走査面に入射しており、前記複数の異なる被走査面に向かう複数の光束は、副走査断面内において、前記結像光学素子のそれぞれ異なる領域を通過しており、前記複数の光束のうちの一つが前記走査光束Ｒａｙ１であり、前記走査光束Ｒａｙ１は、前記結像光学素子の副走査方向の外形中心からずれた位置を通過しており、
副走査断面内において、前記結像光学素子の両端面のうち、前記走査光束Ｒａｙ１の通過位置が近い側の端面を第１の端面、遠い側の端面を第２の端面と定義したとき、
前記第１の反射ミラーは、副走査断面内において前記結像光学素子を通過した走査光束Ｒａｙ１を反射して前記第１の端面側に光路を折り曲げていることを特徴としている。
【手続補正４】
【補正対象書類名】明細書
【補正対象項目名】００２５
【補正方法】変更
【補正の内容】
【００２５】
請求項３の発明は請求項２の発明において、副走査断面内において、前記複数の被走査面のうち、物理的に前記偏向手段に最も近い側の被走査面に導光される光束が前記走査光束Ｒａｙ１であることを特徴としている。
【手続補正５】
【補正対象書類名】明細書
【補正対象項目名】００２６
【補正方法】変更
【補正の内容】
【００２６】
請求項４の発明は請求項１乃至３の何れか一項の発明において、副走査断面内において、前記第１の反射ミラーの副走査方向の位置と前記第２の反射ミラーの副走査方向の位置がオーバーラップしていることを特徴としている。
【手続補正６】
【補正対象書類名】明細書
【補正対象項目名】００２７
【補正方法】変更
【補正の内容】
【００２７】
請求項５の発明は請求項２乃至４の何れか一項の発明において、副走査断面内において、前記偏向手段の同一の偏向面にて偏向走査された複数の光束は、前記結像光学素子を通過した後に互いに交差しないことを特徴としている。
【手続補正７】
【補正対象書類名】明細書
【補正対象項目名】００２８
【補正方法】変更
【補正の内容】
【００２８】
請求項６の発明は請求項１乃至５の何れか一項の発明において、前記結像光学素子および前記第１の反射ミラー及び前記第２の反射ミラーは、それらを主走査断面内に投射したとき、互いにオーバーラップしていないことを特徴としている。
【手続補正８】
【補正対象書類名】明細書
【補正対象項目名】００２９
【補正方法】変更
【補正の内容】
【００２９】
請求項７の発明の画像形成装置は、請求項１乃至６の何れか一項に記載の光走査装置と、前記被走査面に配置された感光ドラムと、前記光走査装置で走査された光束によって前記感光ドラムの上に形成された静電潜像をトナー像として現像する現像器と、現像されたトナー像を被転写材に転写する転写器と、転写されたトナー像を被転写材に定着させる定着器とを有することを特徴としている。
【手続補正９】
【補正対象書類名】明細書
【補正対象項目名】００３０
【補正方法】削除
【補正の内容】
【手続補正１０】
【補正対象書類名】明細書
【補正対象項目名】００３１
【補正方法】削除
【補正の内容】
【手続補正１１】
【補正対象書類名】明細書
【補正対象項目名】００３２
【補正方法】削除
【補正の内容】
【手続補正１２】
【補正対象書類名】明細書
【補正対象項目名】００３３
【補正方法】削除
【補正の内容】
【手続補正１３】
【補正対象書類名】明細書
【補正対象項目名】００３４
【補正方法】削除
【補正の内容】
【手続補正１４】
【補正対象書類名】明細書
【補正対象項目名】００３５
【補正方法】削除
【補正の内容】
【手続補正１５】
【補正対象書類名】明細書
【補正対象項目名】００３６
【補正方法】削除
【補正の内容】
【手続補正１６】
【補正対象書類名】明細書
【補正対象項目名】００３７
【補正方法】削除
【補正の内容】
【手続補正１７】
【補正対象書類名】明細書
【補正対象項目名】００３８
【補正方法】削除
【補正の内容】
【手続補正１８】
【補正対象書類名】明細書
【補正対象項目名】００３９
【補正方法】削除
【補正の内容】
【手続補正１９】
【補正対象書類名】明細書
【補正対象項目名】００８３
【補正方法】変更
【補正の内容】
【００８３】
さらに、副走査方向において、結像レンズＧ１の両端面のうち、走査光束Ｒａｙ１の通過位置が近い側の結像レンズＧ１のレンズ端面を端面（第１の端面）Ａ、走査光束Ｒａｙ１の通過位置が遠い側の結像レンズＧ１のレンズ端面を端面（第２の端面）Ｂと定義する。
【手続補正２０】
【補正対象書類名】明細書
【補正対象項目名】００８７
【補正方法】変更
【補正の内容】
【００８７】
このとき、図１Ｂ、図１Ｃにおいて、反射ミラー９ａが第１の反射ミラーＭ１、反射ミラー１０ａが第２の反射ミラーＭ２となる。このとき、本実施例においては、結像レンズＧ１を通過後の走査光束Ｒａｙ１を第１の反射ミラーＭ１によって反射し、結像レンズＧ１と感光ドラム１２ｂとの間、つまりレンズ端面Ａ側（第１の端面側）に光路を折り曲げている。その後、第１の反射ミラーＭ１からの反射光束を第２の反射ミラーＭ２によって反射し、感光ドラム１２ｂに導光している。
【手続補正２１】
【補正対象書類名】明細書
【補正対象項目名】０１０１
【補正方法】変更
【補正の内容】
【０１０１】
さらに本実施例では、走査光束Ｒａｙ１が軸上像高に向かうときの偏向走査点Ｏから結像レンズＧ１の被走査面側のレンズ面までの光軸方向の間隔（距離）をＬ１(mm）、偏向走査点Ｏから第１の反射ミラーＭ１での反射点Ｐまでの光軸方向の間隔をＬ２(mm）とする。さらに、走査光束Ｒａｙ１の副走査方向の斜入射角度をα(deg)、偏向走査点Ｏと結像レンズＧ１の外形中心Ｃとの副走査方向の間隔をσ(mm）とする。